【事件の表示】
　特許第３２１１８４４号「給紙装置」の請求項１、２に係る特許に対する特許異議の申立てについて、次のとおり決定する。
【結　論】
　訂正を認める。
　特許第３２１１８４４号の請求項１ないし２に係る特許を取り消す。
【理　由】
１．手続の経緯
　本件特許第３２１１８４４号発明は、平成４年１１月４日に特許出願され、平成１３年７月１９日に設定登録（平成１３年９月２５日特許公報発行）がなされ、その後、平成１４年３月２２日付けでより特許異議の申立がなされ、平成１４年８月９日に取消理由の通知がなされ、その指定期間内である平成１４年１０月８日に意見書の提出とともに訂正請求がなされたものである。
　
２．訂正の適否
　
（１）訂正の内容
　
訂正事項ａ
　【特許請求の範囲】の【請求項１】に係る記載
「　　【請求項１】　給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸を備えた給紙装置において、
　少なくとも給紙時において、前記支持手段は、下流側が下向きになるように傾斜されるとともに、
　前記ナジャーローラと用紙表面との接点とナジャーローラの支持手段の支点とを結ぶ直線と、用紙表面とのなす角度をθ、前記ナジャーローラと用紙との摩擦係数をμとした時、
　μ×ｔａｎθ＞１
　の関係が成り立つことを特徴とする給紙装置。」
を、
「　　【請求項１】　給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸とを備えた給紙装置において、
　少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、
　μ×ｔａｎθ＞１
　但し、μ＞１且つθ≦４５°
　の関係が成り立つことを特徴とする給紙装置。」
と訂正する。
　
訂正事項ｂ
　【特許請求の範囲】の【請求項２】に係る記載
「　　【請求項２】　前記ナジャーローラと用紙表面との接点とナジャーローラの支持手段の支点とを結ぶ直線と、用紙表面とのなす角度θが、
　θ＞４５°
　であることを特徴とする請求項１に記載の給紙装置。」
を、
「　　【請求項２】給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸とを備えた給紙装置において、
　少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、
　μ×ｔａｎθ＞１
の関係が成り立ち、
　更に、前記支持手段には、支持手段の支点に配設されたギヤを介して、該ギヤから複数の従動ギヤを経てナジャーローラへ駆動力を伝達する駆動力伝達機構が設けられていることを特徴とする給紙装置。」
と訂正する。
　
訂正事項ｃ
　【発明の詳細な説明】の段落番号【０００９】の
「　　【０００９】
　【発明の目的】
　本発明は、前述したような従来の給紙装置において、ナジャーローラの支持機構に付随する給紙不良等の問題を解消するもので、ナジャーローラを支持する支持リンクの支点を上流部に配置し、ナジャーローラと用紙との摩擦力により、ナジャーローラが用紙に向けて押圧されるような支持手段を設け、用紙に対する送り作用を用紙の搬送負荷に対抗させて、良好な状態で発揮できるような装置を提供することを目的としている。」
を、
「　　【０００９】
　【発明の目的】
　本発明は、前述したような従来の給紙装置において、ナジャーローラの支持機構に付随する給紙不良等の問題を解消するもので、ナジャーローラを支持する支持リンクの支点を上流部に配置し、ナジャーローラと用紙との摩擦力により、ナジャーローラが用紙に向けて押圧されるような支持手段を設け、用紙に対する送り作用を用紙の搬送負荷に対応させて、良好な状態で発揮できるような装置を提供することを目的としている。」
と訂正する。
　
訂正事項ｄ
　【発明の詳細な説明】の段落番号【００１０】の
「　　【００１０】
　【課題を解決するための手段】
　本発明は、給紙トレイ等の用紙収容装置から用紙を給紙するナジャーローラを有する給紙装置であって、用紙を送り出すナジャーローラと、前記ナジャーローラを揺動可能な状態で支持する支持手段と、前記ナジャーローラよりも用紙搬送方向に対して上流側に設けられ、前記支持手段の揺動の支点となる揺動軸を備えた給紙装置に関する。
　本発明の請求項１の発明は、少なくとも給紙時において、前記支持手段は、下流側が下向きになるように傾斜されるとともに、前記ナジャーローラと用紙表面との接点とナジャーローラの支持手段の支点とを結ぶ直線と、用紙表面とのなす角度をθ、前記ナジャーローラと用紙との摩擦係数をμとした時、　μ×ｔａｎθ＞１　の関係が成り立つことを特徴とする。
　請求項２の発明は、前記ナジャーローラと用紙表面との接点とナジャーローラの支持手段の支点とを結ぶ直線と、用紙表面とのなす角度θが、　θ＞４５°　であることを特徴とする。」
を、
「　　【００１０】
　【課題を解決するための手段】
　本発明は、給紙トレイ等の用紙収容装置から用紙を給紙するナジャーローラを有する給紙装置であって、用紙を送り出すナジャーローラと、前記ナジャーローラを揺動可能な状態で支持する支持手段と、前記ナジャーローラよりも用紙搬送方向に対して上流側に設けられ、前記支持手段の揺動の支点となる揺動軸を備えた給紙装置に関する。
　本発明の請求項１の発明としては、少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、　μ×ｔａｎθ＞１　但し、μ＞１且つθ≦４５°の関係が成り立つことを特徴とする。
　請求項２の発明としては、少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、　μ×ｔａｎθ＞１　の関係が成り立ち、更に、前記支持手段には、支持手段の支点に配設されたギヤを介して、該ギヤから複数の従動ギヤを経てナジャーローラへ駆動力を伝達する駆動力伝達機構が設けられていることを特徴とする。」
と訂正する。
　
訂正事項ｅ
　【発明の詳細な説明】の段落番号【００１２】の
「　　【００１２】
　【実施例】
　図示される例にしたがって、本発明の給紙装置を説明する。図１に示される例は、本発明の給紙装置を構成するナジャーローラ５と、用紙さばき装置１０の構成とを示している。前記給紙装置４においては、給紙トレイ１に収容される用紙Ｐに対して、給紙方向の先端部に配置するナジャーローラ５を、用紙の移動方向の上流部に配置する軸９を介して、支持リンク７により支持している。前記支持リンク７は、支軸９から下流部（給紙方向）に向けて斜めに配置し、該支軸９を駆動軸として構成して、駆動力伝達機構を介してナジャーローラ５を駆動することにより、トレイからの給紙の作用を行わせる。」
を、
「　　【００１２】
　【実施例】
　図示される例にしたがって、本発明の給紙装置を説明する。図１に示される例は、本発明の給紙装置を構成するナジャーローラ５と、用紙さばき装置１０の構成とを示している。前記給紙装置４においては、給紙トレイ１に収容される用紙Ｐに対して、給紙方向の先端部に配置するナジャーローラ５を、用紙の移動方向の上流部に配置する支軸９を介して、支持リンク７により支持している。前記支持リンク７は、支軸９から下流部（給紙方向）に向けて斜めに配置し、該支軸９を駆動軸として構成して、駆動力伝達機構を介してナジャーローラ５を駆動することにより、トレイからの給紙の作用を行わせる。」
と訂正する。
　
訂正事項ｆ
　【発明の詳細な説明】の段落番号【００１４】の
「　　【００１４】
　前記図１に示される給紙装置４では、図２の平面図に示されるような駆動力伝達機構を用いることができる。前記図２に示される例において、給紙部のフレーム３に対して、用紙さばき装置の給紙ローラ１１の支軸１２と、支持リンクを支持する軸９とを支持させ、前記軸のそれぞれに対してプーリを取り付け、両プーリに対して掛け渡した伝導ベルト１３を介して、軸１２の駆動力を駆動軸９に伝達する。また、前記駆動軸９には、支持リンク７を介してナジャーローラ５を揺動用紙に対して揺動させ得るように設け、該支持リンク７の一方の側部にギヤを組み合わせた伝導機構８を配置し、ナジャーローラ５の軸６に対する駆動伝達を行うことができるようにする。そして、前述したような駆動力伝達機構を構成したことによって、用紙さばき装置の給紙ローラ１２を駆動する動作に連動させて、ナジャーローラ５に対する駆動を行い、給紙トレイからの用紙の取り出し作用を行うことができる。」
を、
「　　【００１４】
　前記図１に示される給紙装置４では、図２の平面図に示されるような駆動力伝達機構を用いることができる。前記図２に示される例において、給紙部のフレーム３に対して、用紙さばき装置１０の給紙ローラ１１の軸１２と、支持リンク７を支持する支軸（軸）９とを支持させ、前記軸のそれぞれに対してプーリを取り付け、両プーリに対して掛け渡した伝導ベルト１３を介して、軸１２の駆動力を支軸（駆動軸）９に伝達する。また、前記駆動軸９には、支持リンク７を介してナジャーローラ５を揺動用紙に対して揺動させ得るように設け、該支持リンク７の一方の側部にギヤを組み合わせた伝導機構８を配置し、ナジャーローラ５の軸６に対する駆動伝達を行うことができるようにする。そして、前述したような駆動力伝達機構を構成したことによって、用紙さばき装置１０の給紙ローラ１１を駆動する動作に連動させて、ナジャーローラ５に対する駆動を行い、給紙トレイ１からの用紙の取り出し作用を行うことができる。」
と訂正する。
　
訂正事項ｇ
　【発明の詳細な説明】の段落番号【００１６】の
「　　【００１６】
　前記図３の説明図において、ナジャーローラの初期の搬送力Ｆ０＝μ×Ｐ０となる。また、搬送負荷Ｆが大きい場合に、搬送力の差であるＦ1（Ｆ−Ｆ０）により、ナジャーローラの押圧力がΔＰだけ増加する。そして、前記圧力がΔＰ増加すると、ナジャーローラによる用紙の搬送力は、μ×ΔＰだけ増加する。つまり、本発明の給紙装置において、搬送力と搬送負荷との差により、ナジャーローラに対して発生する搬送力の増加分をΔＦとすると、ΔＦ＝μ×Ｆ1×tanθとなる。」
を、
「　　【００１６】
　前記図３の説明図において、ナジャーローラの初期の搬送力Ｆ０＝μ×Ｐ０となる。また、搬送負荷Ｆが大きい場合に、搬送力の差であるＦ１（Ｆ−Ｆ０）により、ナジャーローラの押圧力がΔＰだけ増加する。そして、前記押圧力がΔＰ増加すると、ナジャーローラによる用紙の搬送力は、μ×ΔＰだけ増加する。つまり、本発明の給紙装置において、搬送力と搬送負荷との差により、ナジャーローラに対して発生する搬送力の増加分をΔＦとすると、ΔＦ＝μ×Ｆ１×tanθとなる。」
と訂正する。
　
訂正事項ｈ
　【発明の詳細な説明】の段落番号【００１７】の
「　　【００１７】
　前記式において、ΔＦ＞Ｆ1として、ナジャーローラにより用紙を送り出すためには、μ×tanθ＞１の関係が成立することが必要となる。これに対して、一般に、ゴムと用紙との間の摩擦係数μは、１．０程度の値であるから、tanθ＞１の関係となる。したがって、向かい角θを４５°以上の角度に設定すると、ミスフィードが生じることを防止できる。」
を、
「　　【００１７】
　前記式において、ΔＦ＞Ｆ１として、ナジャーローラにより用紙を送り出すためには、μ×tanθ＞１の関係が成立することが必要となる。これに対して、一般に、ゴムと用紙との間の摩擦係数μは、１．０程度の値であるから、tanθ＞１の関係となる。したがって、向かい角θを４５°より大きい角度に設定すると、ミスフィードが生じることを防止できる。」
と訂正する。
　
訂正事項ｉ
　【発明の詳細な説明】の段落番号【００１８】の
「　　【００１８】
　また、前記図３に示される説明図において、ナジャーローラを構成するローラの用紙に対する摩擦係数を１．０以上の大きな値のものとして構成する場合には、前記向かい角θを小さな角度に設定することができる。したがって、本発明のナジャーローラに対する支持機構を設けた場合には、トレイに収容されている用紙が、静電気等により密着状態にあり、給紙抵抗が大きい場合でも、その用紙の抵抗による搬送負荷の大きさに応じて、ナジャーローラを用紙に向けて押圧する作用を強く発揮させることができる。なお、前記作用アームの傾斜角度は４５°よりも小さい場合にも、ナジャーローラが搬送負荷により用紙に向けて押圧する作用を発揮させることができる。また、ローラ部材を非常に強い力で用紙に押圧し、強制的に用紙を送り出そうとすると、弱い用紙の場合には、ローラにより強く擦る作用により、用紙を損傷する等の障害が発生する恐れがあり、前記ナジャーローラの押圧力の増加の程度を、適宜設定することが必要とされる場合も考えられる。」
を、
「　　【００１８】
　また、前記図３に示される説明図において、ナジャーローラを構成するローラの用紙に対する摩擦係数を１．０より大きな値のものとして構成する場合には、前記向かい角θを小さな角度に設定することができる。したがって、本発明のナジャーローラに対する支持機構を設けた場合には、トレイに収容されている用紙が、静電気等により密着状態にあり、給紙抵抗が大きい場合でも、その用紙の抵抗による搬送負荷の大きさに応じて、ナジャーローラを用紙に向けて押圧する作用を強く発揮させることができる。なお、前記作用アームの傾斜角度は４５°以下の場合にも、ナジャーローラが搬送負荷により用紙に向けて押圧する作用を発揮させることができる。また、ローラ部材を非常に強い力で用紙に押圧し、強制的に用紙を送り出そうとすると、弱い用紙の場合には、ローラにより強く擦る作用により、用紙を損傷する等の障害が発生する恐れがあり、前記ナジャーローラの押圧力の増加の程度を、適宜設定することが必要とされる場合も考えられる。」
と訂正する。
　
訂正事項ｊ
　【発明の詳細な説明】の段落番号【００２０】の
「　　【００２０】
　前記本発明の実施例に示されるナジャーローラの支持機構において、ナジャーローラ５を支持する支持リンク７の形状と、作用アームの長さ等の条件は、給紙装置の配置される場所に応じて、任意に設定することができる。さらに、給紙ローラの駆動軸と支軸９との間の駆動伝達機構と、支軸９とナジャーローラの軸６との間の駆動伝達機構の構成は、一般の電子写真複写機の駆動機構と同様に、ギヤ装置やタイミングベルト等のように、任意の手段を用いることができる。」
を、
「　　【００２０】
　前記本発明の実施例に示されるナジャーローラの支持機構において、ナジャーローラ５を支持する支持リンク７の形状と、作用アームの長さ等の条件は、給紙装置の配置される場所に応じて、任意に設定することができる。さらに、給紙ローラ１１の軸（駆動軸）６と支軸９との間の駆動力伝達機構と、支軸９とナジャーローラの軸６との間の駆動力伝達機構の構成は、一般の電子写真複写機の駆動機構と同様に、ギヤ装置やタイミングベルト等のように、任意の手段を用いることができる。」
と訂正する。
　
訂正事項ｋ
　【発明の詳細な説明】の段落番号【００２１】の
「　　【００２１】
　【発明の効果】本発明の給紙装置は、前述したように、ナジャーローラを支持するアームを用紙搬送方向に向けて下側に傾斜させて設けることにより、用紙の送り出し抵抗が非常に大きい場合でも、その用紙の抵抗に対応させた押圧力を発揮でき、給紙する作用を良好な状態で発揮できる。」
を、
「　　【００２１】
　【発明の効果】
　本発明の給紙装置は、前述したように、ナジャーローラの支持手段を用紙搬送方向に向けて下側に傾斜させて設けることにより、用紙の送り出し抵抗が非常に大きい場合でも、その用紙の抵抗に対応させた押圧力を発揮でき、給紙する作用を良好な状態で発揮できる。
　特に、請求項１に係る発明にあっては、ナジャーローラと用紙との間の摩擦係数を考慮し、支持手段の傾斜姿勢を浅く設定するようにしたので、支持手段の高さ方向配設スペースの低減化を図りながら、用紙の送り出し抵抗が非常に大きい場合でも、給紙する作用を良好な状態で発揮できる。
　また、請求項２に係る発明にあっては、ナジャーローラの駆動力伝達機構を工夫することで支持手段の長さを長く設定可能としたので、用紙の高さ変化に対する支持手段の角度変位を少なく抑えることができ、その分、ナジャーローラの搬送力を安定させることができるほか、支持手段の傾斜姿勢を浅く設定したとしても、支持手段の支点とナジャーローラとの間のギヤ列と用紙と間の干渉を有効に防止することができる。
　このため、請求項２に係る発明にあっては、用紙の送り出し抵抗が非常に大きい場合でも、給紙する作用を極めて良好な状態で発揮できる。」
と訂正する。
　
（２）訂正の目的の適否、新規事項の有無及び拡張・変更の存否
　
　上記訂正事項ａ、ｂは、【特許請求の範囲】の【請求項１】において、表現上不明瞭な個所を改めるとともに、μとθの数値範囲を訂正前明細書の段落【００１７】の記載に基づいて　μ＞１且つθ≦４５°　と限定しようとするもの、及び、【請求項２】において、上記の訂正に加え、訂正前明細書の段落【００１４】に図面とともに開示された、支持手段に、支持手段の支点に配設されたギヤを介して、該ギヤから複数の従動ギヤを経てナジャーローラへ駆動力を伝達する駆動力伝達機構が設けられているという限定を付加しようとするものであるから、特許請求の範囲の減縮、及び、明瞭でない記載の釈明を目的とした明細書の訂正に該当する。
　
　上記訂正事項ｃは、【発明の詳細な説明】の段落番号【０００９】において、文脈上意味不明な「対抗」なる記載を「対応」に訂正しようとするものであるから、明瞭でない記載の釈明を目的とした明細書の訂正に該当する。
　
　上記訂正事項ｄ、ｉ、ｋは、【発明の詳細な説明】の段落番号【００１０】【００１８】【００２１】の記載を、訂正された【請求項１】及び【請求項２】の記載と整合させようとするものであるから、明瞭でない記載の釈明を目的とした明細書の訂正に該当する。
　
　上記訂正事項ｅ、ｆ、ｊは、【発明の詳細な説明】の段落番号【００１２】【００１４】【００２０】において、混同して用いられていた「軸」「支軸」「駆動軸」「駆動伝達機構」等の用語を整理して、図番を挿入しようとするものであるから、明瞭でない記載の釈明を目的とした明細書の訂正に該当する。
　
　上記訂正事項ｇ、ｈは、【発明の詳細な説明】の段落番号【００１６】【００１７】において、「Ｆ1」なる変数を「Ｆ１」に訂正し、「押圧力」なる記載の直後の「前記圧力」なる記載を「前記押圧力」に訂正するとともに、「ｔａｎθ＞１」なる関係式と整合しない「４５°以上の角度」なる記載を「４５°より大きい角度」に訂正しようとするものであるから、明瞭でない記載の釈明を目的とした明細書の訂正に該当する。
　
　そして、上記各訂正事項は、願書に添付した明細書又は図面に記載された事項の範囲内のものであって、かつ、実質上特許請求の範囲を拡張し又は変更するものではない。
　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、この訂正を認める。
　
３．特許異議申立についての判断
　
（１）本件訂正発明１、２
　
訂正明細書の請求項１、２に係る発明（以下、それぞれ「本件訂正発明１」、「本件訂正発明２」という）は、訂正明細書の特許請求の範囲の請求項１、２に記載された事項により特定されるとおりのものである。
（２．訂正の適否（１）訂正の内容　訂正事項ａ、ｂを参照。）
　
（２）引用刊行物の記載事項
　
当審が通知した、取消理由に引用した刊行物１（実願昭５９−１２０６２０号（実開昭６１−３８１４４号）のマイクロフィルム：特許異議申立人の提出した甲第１号証）には、複写機等の給紙装置に関して、図面とともに、以下の事項が記載されている。
　
記載事項ａ
「複写機等の給紙装置において、用紙束に当接して用紙を送り出すピックアップローラを揺動自在のアームの一端に軸支し、アームの支点部にはピックアップローラを駆動する駆動ギヤを係合し、さらに支点位置と、ローラ軸を結ぶ直線と、紙面のなす角を鋭角にすると共に、用紙搬送部線速を上記ピックアップローラ線速より実質的に大とすることを特徴とする給紙装置の給紙圧解除機構。」（実用新案登録請求の範囲）
　
記載事項ｂ
「本考案は、複写機等の給紙装置に関し、特に紙収容部の用紙束の上に自重で載置されたピックアップローラによって用紙を一枚ずつ送り出し、１対の送りローラから構成される用紙搬送部にて下流側に用紙を搬送する形式の給紙装置の給紙圧解除機構に係るものである。」（第１頁１５行〜２０行）
　
記載事項ｃ
「図において、ピックアップローラ１は、ピックアップアーム２に固設されたピンに軸支される。
　ピックアップローラ１にはギヤが固設されている。ピックアップアーム２は固定のブラケット３（第２図示）に植設されたピン６に軸支され、同軸にギヤ４が遊嵌される。ピックアップコロギヤとこのギヤ４が係合している。そしてギヤ４は、ブラケット３上のギヤ列５と係合し、フィードローラ７と同軸上にワンウエイクラッチを内蔵したギヤ８により駆動が与えられる。ピックアップアーム２の支点（ピン６部分）とピックアップローラ軸心を結ぶ線は紙面と鋭角に設定される。」（第３頁１２行〜第４頁３行）
　
記載事項ｄ
「第２図は、この様に構成された給紙装置の平面図であり、ギヤ、ローラの位置関係を示している。
　図において、３はブラケット、６はピン、１１はフィード軸、１２はピックアップローラギヤである。また第１図において矢印は各部材の回転方向を示す。」（第４頁１４行〜１９行）
　
記載事項ｅ
「この時ピックアップローラ１と紙は摩擦係合により用紙をフィードローラ７側に送ろうとするが、これに反して、下側の用紙が引きとめようとする。その力は、紙間の摩擦係数とピックアップローラ圧により発生するが、ピックアップローラ１と紙の摩擦係数の方が大きい為、上側の用紙が送り出される。その圧はピックアップアーム２の角度と、紙間摩擦係数、ギヤ半径により定まるものである。この様にして用紙搬送部１０のニップ部に用紙が送られると、用紙は前述の通り一枚に分離される。」（第５頁６行〜１５行）
　
記載事項ｆ
「フィードローラ７により最上紙が送られる速度がピックアップローラ１により送られる速度より大きく設定されているため、最上紙に接するピックアップローラ１を矢印方向に引く結果となる。従って、ピックアップローラギヤは、ギヤ４の周りを時計方向に回動しようとし、ピックアップローラ１の圧が自動的に解除される。」（第５頁１６行〜第６頁２行）
　
（３）対比・判断
　
（３−１）本件訂正発明１について
　本件訂正発明１と刊行物１に記載された発明とを対比すると、記載事項ａ〜ｆ、及び、刊行物１の第１、２図からみて、刊行物１に記載された発明の「給紙装置」、「ピックアップローラ１」、「ピックアップアーム２」、及び「ピン６」は、夫々本件訂正発明１の「給紙装置」、「ナジャーローラ」、「支持手段」、及び「揺動軸」に相当するものであるから、両者は、「給紙トレイ等の用紙収容装置から用紙を給紙するナジャーローラを有する給紙装置であって、用紙を送り出すナジャーローラと、前記ナジャーローラを揺動可能な状態で支持する支持手段と、前記ナジャーローラよりも用紙搬送方向に対して上流側に設けられ、前記支持手段の揺動の支点となる揺動軸とを備えた給紙装置において、少なくとも給紙時において、前記支持手段は、下流側が下向きになるように傾斜される給紙装置。」である点で一致し、下記の点で相違する。
　
【相違点１】
　本件訂正発明１では、ナジャーローラと用紙表面との接点とナジャーローラの支持手段の支点とを結ぶ直線が用紙表面となす角度をθ、前記ナジャーローラと用紙との摩擦係数をμとした時、μ×ｔａｎθ＞１　但し、μ＞１且つθ≦４５°　の関係が成り立つのに対し、刊行物１に記載された発明では、上記の関係が成り立つかどうか明記されていない点。 
　
　そこで、上記の相違点について検討する。
　
【相違点１】について
　紙送りに用いられるローラとして、μ＞１のものは広く使用されており、また、刊行物１のいずれの個所にも、摩擦力の大きなナジャーローラの採用を妨げる旨は記載されていないから、刊行物１に記載された発明において、μ＞１のナジャーローラを用いることは、当業者が通常選択しうる事項と認められる。
　また、刊行物１には、ピックアップローラ圧が、ピックアップアーム２の角度と、紙間摩擦係数、ギヤ半径により定まること（記載事項ｅ）が記載されており、上記の知見に基づいて、ナジャーローラと用紙表面との接点とナジャーローラの支持手段の支点とを結ぶ直線が用紙表面となす角度θを、紙送りに支障のない範囲の角度とすることは、当業者であれば容易になし得る設計事項に相当するものと認められる。
　
　なお、本件特許権者は、特許異議意見書において、本件発明の特徴点「μ×ｔａｎθ＞１　但し、μ＞１且つθ≦４５°　の関係が成り立つ点」を想定することはそもそも不可能であり、この特徴点に基づく技術的効果を想定し得ないことは明らかであって、本件発明は、刊行物１に記載された発明に基づいて容易に想到し得るものとは言えない旨を主張しているが（第４頁１２行−第１９行）、μ＞１のナジャーローラを採用し、θを紙送りに支障のない範囲の角度とした点が設計事項に相当することは上述したとおりであり、また、訂正前の【請求項２】のものがθ＞４５°と限定していたことからも判るように、本件訂正発明１がθ≦４５°と限定した点に、特段、臨界的な意義があるものとも解されないから、本件特許権者による上記主張は採用することができない。
　
　よって、本件訂正発明１は、刊行物１に記載された発明に基づいて、当業者が容易に発明をすることができたものと認められる。
　
（３−２）本件訂正発明２について
　本件訂正発明２と刊行物１に記載された発明とを対比すると、記載事項ａ〜ｆ、及び、刊行物１の第１、２図からみて、刊行物１に記載された発明の「給紙装置」、「ピックアップローラ１」、「ピックアップアーム２」、及び「ピン６」は、夫々本件訂正発明２の「給紙装置」、「ナジャーローラ」、「支持手段」、及び「揺動軸」に相当するものであるから、両者は、「給紙トレイ等の用紙収容装置から用紙を給紙するナジャーローラを有する給紙装置であって、用紙を送り出すナジャーローラと、前記ナジャーローラを揺動可能な状態で支持する支持手段と、前記ナジャーローラよりも用紙搬送方向に対して上流側に設けられ、前記支持手段の揺動の支点となる揺動軸とを備えた給紙装置において、少なくとも給紙時において、前記支持手段は、下流側が下向きになるように傾斜される給紙装置。」である点で一致し、下記の点で相違する。
　
【相違点１】
　本件訂正発明２では、ナジャーローラと用紙表面との接点とナジャーローラの支持手段の支点とを結ぶ直線が用紙表面となす角度をθ、前記ナジャーローラと用紙との摩擦係数をμとした時、μ×ｔａｎθ＞１　の関係が成り立つのに対し、刊行物１に記載された発明では、上記の関係が成り立つかどうか明記されていない点。
　
【相違点２】
　本件訂正発明２では、支持手段に、支持手段の支点に配設されたギヤを介して、該ギヤから複数の従動ギヤを経てナジャーローラへ駆動力を伝達する駆動力伝達機構が設けられているのに対し、刊行物１に記載された発明では、支持手段に、支持手段の支点に配設されたギヤからナジャーローラへ駆動力を伝達する駆動力伝達機構が設けられているものの、ナジャーローラまでの経路に、複数の従動ギヤが介在しない点。 
　
　そこで、上記の各相違点について検討する。
　
【相違点１】について
　本件訂正発明１の【相違点１】についての判断と同じ。
　
【相違点２】について
　支持手段の支点に配設されたギヤからナジャーローラへ駆動力を伝達するために、支持手段の支点に配設されたギヤとナジャーローラの間に複数の従動ギヤを介在させることは、周知の技術に過ぎず（例えば、実願平２−９４０１５号（実開平４−５１４３８号）のマイクロフィルム）、また、刊行物１に記載されたものに上記周知技術を適用することを妨げるような特段の事情もない。
　従って、この点については、当業者であれば容易になし得たものといえる。 
　
　よって、本件訂正発明２は、刊行物１に記載された発明に基づいて、当業者が容易に発明をすることができたものと認められる。
　
（４）むすび
　以上のとおり、本件請求項１、２に係る発明は上記の刊行物１に記載された発明に基づいて当業者が容易に発明をすることができたものであるから、本件請求項１、２に係る発明の特許は特許法第２９条第２項の規定により、特許を受けることができない。
　したがって、本件発明についての特許は拒絶の査定をしなければならない特許出願に対してされたものと認める。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１２月６日（２００２．１２．６）
【訂正の要旨】
訂正の要旨
（１）　訂正事項ａ
　本件特許公報の特許請求の範囲請求項１に係る記載
「　　【請求項１】　給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸を備えた給紙装置において、
　少なくとも給紙時において、前記支持手段は、下流側が下向きになるように傾斜されるとともに、
　前記ナジャーローラと用紙表面との接点とナジャーローラの支持手段の支点とを結ぶ直線と、用紙表面とのなす角度をθ、前記ナジャーローラと用紙との摩擦係数をμとした時、
　　μ×ｔａｎθ＞１
　の関係が成り立つことを特徴とする給紙装置。」を以下のように訂正する。
　　　記
『　　【請求項１】　給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸
とを
　少なくとも給紙時において、前記支持手段は、下流側が下向きになるように傾斜されるとともに、
　前記ナジャーローラと用紙表面との接点とナジャーローラの支持手段の支点とを結ぶ直線
が
と
　　μ×ｔａｎθ＞１
　　
但し、μ＞１且つθ≦４５°
　の関係が成り立つことを特徴とする給紙装置。』
（２）　訂正事項ｂ
　本件特許公報の特許請求の範囲請求項２に係る記載
「　　【請求項２】　前記ナジャーローラと用紙表面との接点とナジャーローラの支持手段の支点とを結ぶ直線と、用紙表面とのなす角度θが、
　　θ＞４５°
　であることを特徴とする請求項１に記載の給紙装置」を以下のように訂正する。
　　　記
『　　【請求項２】　
給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸とを備えた給紙装置において、
　少なくとも給紙時において、前記支持手段は、下流側が下向きになるように傾斜されるとともに、
　前記ナジャーローラと用紙表面との接点とナジャーローラの支持手段の支点とを結ぶ直線が用紙表面となす角度をθ、前記ナジャーローラと用紙との摩擦係数をμとした時、
　
　μ×ｔａｎθ＞１
　の関係が成り立ち、
　更に、前記支持手段には、支持手段の支点に配設されたギヤを介して、該ギヤから複数の従動ギヤを経てナジャーローラへ駆動力を伝達する駆動力伝達機構が設けられている
（３）　訂正事項ｃ
　明細書の【０００９】の記載を以下のように訂正する。
　　　記
『　　　【０００９】
　【発明の目的】
　本発明は、前述したような従来の給紙装置において、ナジャーローラの支持機構に付随する給紙不良等の問題を解消するもので、ナジャーローラを支持する支持リンクの支点を上流部に配置し、ナジャーローラと用紙との摩擦力により、ナジャーローラが用紙に向けて押圧されるような支持手段を設け、用紙に対する送り作用を用紙の搬送負荷に
対応
（４）　訂正事項ｄ
　明細書の【００１０】の記載を以下のように訂正する。
　　　記
『　　　【００１０】
　【課題を解決するための手段】
　本発明は、給紙トレイ等の用紙収容装置から用紙を給紙するナジャーローラを有する給紙装置であって、用紙を送り出すナジャーローラと、前記ナジャーローラを揺動可能な状態で支持する支持手段と、前記ナジャーローラよりも用紙搬送方向に対して上流側に設けられ、前記支持手段の揺動の支点となる揺動軸
とを
　本発明の請求項１の発明
としては
μ＞１且つθ≦４５°
　請求項２の発明
としては
少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、　μ×ｔａｎθ＞１　の関係が成り立ち、更に、前記支持手段には、支持手段の支点に配設されたギヤを介して、該ギヤから複数の従動ギヤを経てナジャーローラへ駆動力を伝達する駆動力伝達機構が設けられている
（５）　訂正事項ｅ
　明細書の【００１２】の記載を以下のように訂正する。
　　　記
『　　　【００１２】
　【実施例】
　図示される例にしたがって、本発明の給紙装置を説明する。図１に示される例は、本発明の給紙装置を構成するナジャーローラ５と、用紙さばき装置１０の構成とを示している。前記給紙装置４においては、給紙トレイ１に収容される用紙Ｐに対して、給紙方向の先端部に配置するナジャーローラ５を、用紙の移動方向の上流部に配置する
支軸
（６）　訂正事項ｆ
　明細書の【００１４】の記載を以下のように訂正する。
　　　記
『　　　【００１４】
　前記図１に示される給紙装置４では、図２の平面図に示されるような駆動力伝達機構を用いることができる。前記図２に示される例において、給紙部のフレーム３に対して、用紙さばき装置
１０の
軸
７を
支軸（軸）
支軸（駆動軸）
１０の
１１を
１から
（７）　訂正事項ｇ
　明細書の【００１６】の記載を以下のように訂正する。
　　　記
『　　　【００１６】
　前記図３の説明図において、ナジャーローラの初期の搬送力Ｆ０＝μ×Ｐ０となる。また、搬送負荷Ｆが大きい場合に、搬送力の差である
Ｆ１
押圧力
Ｆ１
（８）　訂正事項ｈ
　明細書の【００１７】の記載を以下のように訂正する。
　　　記
『　　　【００１７】
　前記式において、ΔＦ＞
Ｆ１
より大きい
（９）　訂正事項ｉ
　明細書の【００１８】の記載を以下のように訂正する。
　　　記
『　　　【００１８】
　また、前記図３に示される説明図において、ナジャーローラを構成するローラの用紙に対する摩擦係数を１．０
より
以下の
（１０）　訂正事項ｊ
　明細書の【００２０】の記載を以下のように訂正する。
　　　記
『　　　【００２０】
　前記本発明の実施例に示されるナジャーローラの支持機構において、ナジャーローラ５を支持する支持リンク７の形状と、作用アームの長さ等の条件は、給紙装置の配置される場所に応じて、任意に設定することができる。さらに、給紙ローラ
１１の軸（駆動軸）６
駆動力
駆動力
（１１）　訂正事項ｋ
　明細書の【００２１】の記載を以下のように訂正する。
　　　記
『　　　【００２１】
　【発明の効果】
　本発明の給紙装置は、前述したように、ナジャーローラ
の支持手段
。
　特に、請求項１に係る発明にあっては、ナジャーローラと用紙との間の摩擦係数を考慮し、支持手段の傾斜姿勢を浅く設定するようにしたので、支持手段の高さ方向配設スペースの低減化を図りながら、用紙の送り出し抵抗が非常に大きい場合でも、給紙する作用を良好な状態で発揮できる。
　また、請求項２に係る発明にあっては、ナジャーローラの駆動力伝達機構を工夫することで支持手段の長さを長く設定可能としたので、用紙の高さ変化に対する支持手段の角度変位を少なく抑えることができ、その分、ナジャーローラの搬送力を安定させることができるほか、支持手段の傾斜姿勢を浅く設定したとしても、支持手段の支点とナジャーローラとの間のギヤ列と用紙と間の干渉を有効に防止することができる。
　このため、請求項２に係る発明にあっては、用紙の送り出し抵抗が非常に大きい場合でも、給紙する作用を極めて良好な状態で発揮できる。
〔４〕請求の原因
（１）　訂正事項ａ
　訂正事項ａのうち、「……μ×ｔａｎθ＞１　
但し、μ＞１且つθ≦４５°
　また、訂正事項ａのうち、「…揺動軸
とを
が
と
　このため、これらの訂正は、特許法１２０条の４第２項但し書第１号に規定する特許請求の範囲の減縮、及び、同第３号に規定する明瞭でない記載の釈明に相当するものである。
　ここで、上記訂正事項ａの「……μ×ｔａｎθ＞１　
但し、μ＞１且つθ≦４５°
Ｆ１
より大きい
より
以下の
　また、上記訂正事項ａは、願書に最初に添付した明細書又は図面に記載した事項の範囲内の訂正であり、実質上特許請求の範囲を拡張し又は変更するものでもない。
　従って、上記訂正事項ａは特許法第１２０条の４第３項で準用する第１２６条第２項から第３項の規定に適合するものである。
　更に、訂正後の特許請求の範囲に記載されている事項により特定される発明が特許出願の際独立して特許を受けることができるものである。
　すなわち、平成１４年８月９日付け発送の取消理由通知で引用された刊行物１（実願昭５９−１２０６２０号（実開昭６１−３８１４４号公報）のマイクロフィルム）のいずれの箇所にも、『前記ナジャーローラと用紙表面との接点とナジャーローラの支持手段の支点とを結ぶ直線
が
と
但し、μ＞１且つθ≦４５°
　現に、審判官（特許異議申立人）は、取消理由通知の中で、「刊行物１には、……第１図からは、ナジャーローラと用紙表面との接点とナジャーローラの支持手段の支点とを結ぶ直線と、用紙表面とのなす角度θが約５０°であることが見てとれる。」と認定されていることからも、刊行物１中に、上述した構成要件が開示されていないことは明らかである。
　よって、上記発明は上記刊行物１に記載された発明とも、また、刊行物に記載された発明から容易に発明をすることができたものとも認められない。
（２）訂正事項ｂ
　「
給紙トレイ等の用紙収容装置から用紙を給紙するナジャーローラを有する給紙装置であって、用紙を送り出すナジャーローラと、前記ナジャーローラを揺動可能な状態で支持する支持手段と、前記ナジャーローラよりも用紙搬送方向に対して上流側に設けられ、前記支持手段の揺動の支点となる揺動軸とを備えた給紙装置において、少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、　μ×ｔａｎθ＞１　の関係が成り立ち、
揺動軸とを備えた
前記ナジャーローラと用紙表面との接点とナジャーローラの支持手段の支点とを結ぶ直線が用紙表面となす角度をθ
　また、上記訂正事項ｂのうち、「
更に、前記支持手段には、支持手段の支点に配設されたギヤを介して、該ギヤから複数の従動ギヤを経てナジャーローラへ駆動力を伝達する駆動力伝達機構が設けられている
　このため、これらの訂正は、特許法１２０条の４第２項但し書第１号に規定する特許請求の範囲の減縮、及び、同第３号に規定する明瞭でない記載の釈明に相当するものである
　ここで、訂正事項ｂの「
更に、前記支持手段には、支持手段の支点に配設されたギヤを介して、該ギヤから複数の従動ギヤを経てナジャーローラへ駆動力を伝達する駆動力伝達機構が設けられている
１０の
軸
７を
支軸（軸）
支軸（駆動軸）
　また、上記訂正事項ｂは、願書に最初に添付した明細書又は図面に記載した事項の範囲内の訂正であり、実質上特許請求の範囲を拡張し又は変更するものでもない。
　従って、上記訂正事項ｂは特許法第１２０条の４第３項で準用する第１２６条第２項から第３項の規定に適合するものである。
　更に、訂正後の特許請求の範囲に記載されている事項により特定される発明が特許出願の際独立して特許を受けることができるものである。
　すなわち、平成１４年８月９日付け発送の取消理由通知で引用された刊行物１（実願昭５９−１２０６２０号（実開昭６１−３８１４４号公報）のマイクロフィルム）のいずれの箇所にも、『
前記支持手段には、支持手段の支点に配設されたギヤを介して、該ギヤから複数の従動ギヤを経てナジャーローラへ駆動力を伝達する駆動力伝達機構が設けられている
（３）　訂正事項ｃ
　上記訂正事項ｃについては、例えば明細書の【００１１】の「前述したように、……用紙の送り出し抵抗が非常に大きい場合でも、その用紙の抵抗に対応させた押圧力を発揮でき、給紙する作用を良好な状態で発揮できる。」という記載からも明らかなように、明らかな誤記（「対抗（誤）」→「
対応
（４）　訂正事項ｄ
　上記訂正事項ｄについては、特許請求の範囲の訂正（請求項１，請求項２）に伴って発明の詳細な説明の欄を整備したものに過ぎないから、この訂正事項ｄは特許法第１２０条の４第３項で準用する第１２６条第２項から第３項の規定に適合するものである。
（５）　訂正事項ｅ
　上記訂正事項ｅについては、発明の詳細な説明中の明らかな誤記（「軸９（誤）」→「
支軸
（６）　訂正事項ｆ
　上記訂正事項ｆについては、発明の詳細な説明中の明らかな誤記（「用紙さばき装置の（誤）」→「用紙さばき装置
１０の
軸
７を
支軸（軸）
支軸（駆動軸）
１１を
１から
（７）　訂正事項ｇ
　上記訂正事項ｇについては、発明の詳細な説明中の明らかな誤記（「Ｆ１（誤）」→「
Ｆ１
押圧力
（８）　訂正事項ｈ
　上記訂正事項ｈについては、発明の詳細な説明中の明らかな誤記（「Ｆ１（誤）」→「
Ｆ１
より大きい
（９）　訂正事項ｉ
　上記訂正事項ｉについては、訂正事項ｇを整備したことに伴って、明細書の【００１７】の記載と整合させものに過ぎないから、この訂正事項ｉは特許法第１２０条の４第３項で準用する第１２６条第２項から第３項の規定に適合するものである。
（１０）　訂正事項ｊ
　上記訂正事項ｊについては、発明の詳細な説明中の明らかな誤記（「給紙ローラの駆動軸（誤）」→「給紙ローラ
１１の軸（駆動軸）６
駆動力
（１１）　訂正事項ｋ
　上記訂正事項ｋのうち、「ナジャーローラ
の支持手段
（５４）【発明の名称】
給紙装置
（５７）【特許請求の範囲】
　【請求項１】　給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸とを備えた給紙装置において、
　少なくとも給紙時において、前記支持手段は、下流側が下向きになるように傾斜されるとともに、
　前記ナジャーローラと用紙表面との接点とナジャーローラの支持手段の支点とを結ぶ直線が用紙表面となす角度をθ、前記ナジャーローラと用紙との摩擦係数をμとした時、
　　μ×ｔａｎθ＞１
　　但し、μ＞１且つθ≦４５°
　の関係が成り立つことを特徴とする給紙装置。
　【請求項２】　給紙トレイ等の用紙収容装置から用紙を給紙するナジャーローラを有する給紙装置であって、
　用紙を送り出すナジャーローラと、
　前記ナジャーローラを揺動可能な状態で支持する支持手段と、
　前記ナジャーローラよりも用紙搬送方向に対して上流側に設けられ、前記支持手段の揺動の支点となる揺動軸とを備えた給紙装置において、
　少なくとも給紙時において、前記支持手段は、下流側が下向きになるように傾斜されるとともに、
　前記ナジャーローラと用紙表面との接点とナジャーローラの支持手段の支点とを結ぶ直線が用紙表面となす角度をθ、前記ナジャーローラと用紙との摩擦係数をμとした時、
　　μ×ｔａｎθ＞１
　の関係が成り立ち、
　更に、前記支持手段には、支持手段の支点に配設されたギヤを介して、該ギヤから複数の従動ギヤを経てナジャーローラへ駆動力を伝達する駆動力伝達機構が設けられていることを特徴とする給紙装置。
【発明の詳細な説明】
　【０００１】
　【産業上の利用分野】
　本発明は、電子写真複写機等の画像形成装置の給紙部に配置し、給紙トレイから用紙を送り出すための給紙装置に関し、特に、ナジャーローラを駆動する動作により、該ローラを用紙に押圧する方向に作用させ、トレイに堆積されている用紙に対する送り出し作用を良好に発揮できるような給紙装置に関する。
　【０００２】
　【従来の技術】
　電子写真複写機やプリンタ装置等のような画像形成装置においては、給紙部に複数の給紙トレイ等の用紙収容装置を配置し、それぞれの用紙収容装置に対して給紙装置を設けて、用紙の送り出しの作用を行い得るように構成している。前記画像形成装置の給紙部に配置する用紙収容装置は、一般に使用されている定型サイズの用紙を収容するが、各トレイにはサイズの異なる用紙をそれぞれ収容するようにしている。そして、原稿のサイズや、コントロールパネルを介して入力した縮拡率等に応じて、画像形成装置の制御装置が適当なサイズの用紙を選択し、該当する給紙装置を作動させて、用紙を１枚ずつ分離しながら、画像記録部に向けて送り出すような手段を用いている。
　【０００３】
　前述したように、画像形成装置の給紙部に配置される給紙装置は、例えば、特開昭５９−６４４４２号公報等に示されるように構成される装置が一般的に使用されている。前記給紙装置は、給紙トレイの給紙部に配置する送り出しローラ（ナジャーローラ）と、そのトレイからの用紙取り出し部の下流部に配置する用紙さばき装置とから構成している。そして、ナジャーローラによりトレイから送り出した用紙を、用紙さばき装置によりさばいて、画像転写部に接続する用紙搬送路に向けて給紙する機構を構成している。前記従来例の他に、一般の電子写真複写機等の設ける給紙装置としては、図４に示されるような機構に構成される。
　【０００４】
　前記図４に示される例において、給紙トレイ１の給紙部に配置される給紙装置４は、トレイからの用紙送り出し方向先端部に対応して配置されるナジャーローラ５を、支持リンク７ａを介して給紙ローラ１１の軸に支持し、該給紙ローラ１１の駆動に連動させてナジャーローラを駆動するようにしている。前記ナジャーローラの下流部に配置する用紙さばき装置１０は、給紙ローラ１１とリタードローラ１５とを対向させて配置し、該リタードローラ１５を支持する軸１６を、支軸１８を介して揺動可能に設けた支持アーム１７を介して支持し、スプリング１９により付勢して、リタードローラ１５を給紙ローラ１１に向けて押圧する機構を構成している。前記リタードローラ１５は、一般のリタードローラ方式の装置の場合と同様に、用紙の送り方向に対して逆方向に駆動する機構を設けるか、または、間欠的に回転させる機構を用いることができる。そして、前記用紙さばき装置において、ナジャーローラにより送り出される用紙に対して、給紙方向に駆動される給紙ローラ１１とリタードローラ１５との間で、用紙に対するさばき作用を発揮させることができる。
　【０００５】
　【発明が解決しようとする課題】
　前記図４に示されるように、給紙ローラの軸に対してナジャーローラを支持し、該ナジャーローラを給紙方向に駆動してトレイから用紙を送り出す機構を設けた場合には、ナジャーローラが給紙方向（図の時計方向）に駆動されて、トレイから用紙を送り出すことができる。ところが、トレイから用紙を送り出す動作を行う場合に、送り出す用紙と、その下の用紙との間で、静電気等により用紙が密着している場合等では、用紙の抵抗が非常に大きな値となり、ナジャーローラが空転することにより、給紙の作用を良好に行うことができないという問題が発生する。例えば、ナジャーローラの送り力に対して、用紙の抵抗が大きい場合には、ナジャーローラを回転させる力が用紙に対してローラを逃がす方向に作用し、前記ナジャーローラが支持アームを反時計方向に揺動させるような作用を発揮することになり、トレイからの給紙の動作に支障が生じたり、給紙不良が発生する等の問題が起こりやすい。
　【０００６】
　従来の給紙装置では、ナジャーローラを支持リンクを介して支持し、該ナジャーローラの支持部材の自重により、ナジャーローラを用紙に押圧する力を設定している。また、前記支持リンクに対して、ソレノイド等による揺動機構を配置して、ナジャーローラにより送り出された用紙が、用紙さばき装置にニップされた後で、支持リンクを反時計方向に揺動させてナジャーローラを用紙から離し、用紙さばき装置のローラ装置による用紙の搬送作用に支障が生じないようにする機構を設けている。ところが、前記給紙装置では、ナジャーローラにより用紙が所定の位置に向けて送り出された信号を用いて、ソレノイド等を作動させることが必要であり、その制御の動作を正確に行うことが要求される。
　【０００７】
　前述したようなナジャーローラの駆動の制御に代えて、例えば、特開昭６４−９２１３７号公報等に示される例では、ナジャーローラの軸にトルクリミッターを設ける機構が開示されている。そして、前記ナジャーローラの例では、ナジャーローラにより送り出した用紙が、下流部の搬送ローラ装置により搬送される際には、ナジャーローラを空転させることによって、用紙に余分な抵抗を与えないようにしている。ところが、ナジャーローラに対してトルクリミッターを設けた場合には、ナジャーローラの支持機構の構成が複雑になる他に、装置の構成部品が増加するという問題が発生する。
　【０００８】
　また、前述したように、下流部の搬送ローラ装置により用紙が搬送される状態で、ナジャーローラが余分な抵抗を与えないようにする場合でも、用紙の送り出し作用に対する抵抗が大きいと、ローラが用紙から浮き上がる状態になり、ナジャーローラが用紙に対してすべりを生じたりして、給紙の作用を良好に発揮し得ないという問題が残る。しかしながら、前記図４に示されるように、ナジャーローラを支持する支持リンクを、用紙さばき装置から上流部に向けて突出させて配置する装置では、前述したような問題は解消することができないものであり、そのような問題が存在することを前提として、給紙装置を設計しているのが現状である。
　【０００９】
　【発明の目的】
　本発明は、前述したような従来の給紙装置において、ナジャーローラの支持機構に付随する給紙不良等の問題を解消するもので、ナジャーローラを支持する支持リンクの支点を上流部に配置し、ナジャーローラと用紙との摩擦力により、ナジャーローラが用紙に向けて押圧されるような支持手段を設け、用紙に対する送り作用を用紙の搬送負荷に対応させて、良好な状態で発揮できるような装置を提供することを目的としている。
　【００１０】
　【課題を解決するための手段】
　本発明は、給紙トレイ等の用紙収容装置から用紙を給紙するナジャーローラを有する給紙装置であって、用紙を送り出すナジャーローラと、前記ナジャーローラを揺動可能な状態で支持する支持手段と、前記ナジャーローラよりも用紙搬送方向に対して上流側に設けられ、前記支持手段の揺動の支点となる揺動軸とを備えた給紙装置に関する。
　本発明の請求項１の発明としては、少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、　μ×ｔａｎθ＞１　但し、μ＞１且つθ≦４５°の関係が成り立つことを特徴とする。
　請求項２の発明としては、少なくとも給紙時において、前記支持手段は、下流側が下向きになるように傾斜されるとともに、前記ナジャーローラと用紙表面との接点とナジャーローラの支持手段の支点とを結ぶ直線が用紙表面となす角度をθ、前記ナジャーローラと用紙との摩擦係数をμとした時、　μ×ｔａｎθ＞１　の関係が成り立ち、更に、前記支持手段には、支持手段の支点に配設されたギヤを介して、該ギヤから複数の従動ギヤを経てナジャーローラへ駆動力を伝達する駆動力伝達機構が設けられていることを特徴とする。
　【００１１】
　前述したように、ナジャーローラを支持するアームを用紙搬送方向に向けて下側に傾斜させて設けることにより、用紙の送り出し抵抗が非常に大きい場合でも、その用紙の抵抗に対応させた押圧力を発揮でき、給紙する作用を良好な状態で発揮できる。
　【００１２】
　【実施例】
　図示される例にしたがって、本発明の給紙装置を説明する。図１に示される例は、本発明の給紙装置を構成するナジャーローラ５と、用紙さばき装置１０の構成とを示している。前記給紙装置４においては、給紙トレイ１に収容される用紙Ｐに対して、給紙方向の先端部に配置するナジャーローラ５を、用紙の移動方向の上流部に配置する支軸９を介して、支持リンク７により支持している。前記支持リンク７は、支軸９から下流部（給紙方向）に向けて斜めに配置し、該支軸９を駆動軸として構成して、駆動力伝達機構を介してナジャーローラ５を駆動することにより、トレイからの給紙の作用を行わせる。
　【００１３】
　また、前記ナジャーローラ５の下流部に配置する用紙さばき装置１０は、前記従来例の場合と同様に、給紙方向に駆動される給紙ローラ１１と、同方向に駆動されるリタードローラ１５とを対向させて配置し、ナジャーローラにより重送状態で搬送されてくる用紙に対するさばき作用を発揮させるようにする。また、前記用紙さばき装置の給紙ローラに対してリタードローラを押圧する力は、リタードローラを支持する支持アーム１７に設けるスプリング１９により設定し、両ローラの間の圧力を適当な値に設定できるようにする。なお、前記用紙さばき装置としては、給紙ローラとさばきパッドを対向させて構成すること等、従来の給紙装置に設けられている機構を用いることができる。
　【００１４】
　前記図１に示される給紙装置４では、図２の平面図に示されるような駆動力伝達機構を用いることができる。前記図２に示される例において、給紙部のフレーム３に対して、用紙さばき装置１０の給紙ローラ１１の軸１２と、支持リンク７を支持する支軸（軸）９とを支持させ、前記軸のそれぞれに対してプーリを取り付け、両プーリに対して掛け渡した伝導ベルト１３を介して、軸１２の駆動力を支軸（駆動軸）９に伝達する。また、前記駆動軸９には、支持リンク７を介してナジャーローラ５を揺動用紙に対して揺動させ得るように設け、該支持リンク７の一方の側部にギヤを組み合わせた伝導機構８を配置し、ナジャーローラ５の軸６に対する駆動伝達を行うことができるようにする。そして、前述したような駆動力伝達機構を構成したことによって、用紙さばき装置１０の給紙ローラ１１を駆動する動作に連動させて、ナジャーローラ５に対する駆動を行い、給紙トレイ１からの用紙の取り出し作用を行うことができる。
　【００１５】
　前記図１に示されるように、ナジャーローラを支持リンクを介して支持する機構を構成した場合には、ナジャーローラを給紙方向に駆動する作用により、図３に示されるような力が作用し、用紙を送り出すことができる。前記図３に示される例において、支持リンクを支持する駆動軸９の支点９ａと、ナジャーローラ５の用紙に押圧される点５ａとを結ぶ作用アームとしての線７ｂは、支点９ａからローラが用紙を押圧する点５ａに向けて先端部が下向きに、所定の角度θ（向かい角）で傾斜する状態に設定される。また、前記ローラが用紙に押圧される点に対しては、ローラとアーム部材等の重量による押圧力Ｐ０が作用し、ローラと用紙との間の摩擦係数をμとする。
　【００１６】
　前記図３の説明図において、ナジャーローラの初期の搬送力Ｆ０＝μ×Ｐ０となる。また、搬送負荷Ｆが大きい場合に、搬送力の差であるＦ１（Ｆ−Ｆ０）により、ナジャーローラの押圧力がΔＰだけ増加する。そして、前記押圧力がΔＰ増加すると、ナジャーローラによる用紙の搬送力は、μ×ΔＰだけ増加する。つまり、本発明の給紙装置において、搬送力と搬送負荷との差により、ナジャーローラに対して発生する搬送力の増加分をΔＦとすると、ΔＦ＝μ×Ｆ１×ｔａｎθとなる。
　【００１７】
　前記式において、ΔＦ＞Ｆ１として、ナジャーローラにより用紙を送り出すためには、μ×ｔａｎθ＞１の関係が成立することが必要となる。これに対して、一般に、ゴムと用紙との間の摩擦係数μは、１．０程度の値であるから、ｔａｎθ＞１の関係となる。したがって、向かい角θを４５°より大きい角度に設定すると、ミスフィードが生じることを防止できる。
　【００１８】
　また、前記図３に示される説明図において、ナジャーローラを構成するローラの用紙に対する摩擦係数を１．０より大きな値のものとして構成する場合には、前記向かい角θを小さな角度に設定することができる。したがって、本発明のナジャーローラに対する支持機構を設けた場合には、トレイに収容されている用紙が、静電気等により密着状態にあり、給紙抵抗が大きい場合でも、その用紙の抵抗による搬送負荷の大きさに応じて、ナジャーローラを用紙に向けて押圧する作用を強く発揮させることができる。なお、前記作用アームの傾斜角度は４５°以下の場合にも、ナジャーローラが搬送負荷により用紙に向けて押圧する作用を発揮させることができる。また、ローラ部材を非常に強い力で用紙に押圧し、強制的に用紙を送り出そうとすると、弱い用紙の場合には、ローラにより強く擦る作用により、用紙を損傷する等の障害が発生する恐れがあり、前記ナジャーローラの押圧力の増加の程度を、適宜設定することが必要とされる場合も考えられる。
　【００１９】
　なお、前記本発明の画像形成装置の給紙装置において、ナジャーローラによりトレイから送り出された用紙が、用紙さばき装置により下流部に送り出される状態では、用紙さばき装置の搬送ローラ装置による用紙の搬送作用が付与されて、ナジャーローラは給紙の作用を行う必要がなくなる。そこで、前記給紙ローラの軸１２と、駆動軸９との間に、クラッチ等を配置して、用紙の先端部が用紙さばき装置にニップされたことの情報により、クラッチをオフにし、ナジャーローラに対する駆動力を切るようにする。しかし、本発明の装置では、用紙が下流部の用紙搬送装置により搬送される状態でも、用紙に押圧されるナジャーローラは、用紙の移動にしたがって空転する状態となり、用紙に対して余分な負荷を与えることがなくなる。
　【００２０】
　前記本発明の実施例に示されるナジャーローラの支持機構において、ナジャーローラ５を支持する支持リンク７の形状と、作用アームの長さ等の条件は、給紙装置の配置される場所に応じて、任意に設定することができる。さらに、給紙ローラ１１の軸（駆動軸）６と支軸９との間の駆動力伝達機構と、支軸９とナジャーローラの軸６との間の駆動力伝達機構の構成は、一般の電子写真複写機の駆動機構と同様に、ギヤ装置やタイミングベルト等のように、任意の手段を用いることができる。
　【００２１】
　【発明の効果】
　本発明の給紙装置は、前述したように、ナジャーローラの支持手段を用紙搬送方向に向けて下側に傾斜させて設けることにより、用紙の送り出し抵抗が非常に大きい場合でも、その用紙の抵抗に対応させた押圧力を発揮でき、給紙する作用を良好な状態で発揮できる。
　特に、請求項１に係る発明にあっては、ナジャーローラと用紙との間の摩擦係数を考慮し、支持手段の傾斜姿勢を浅く設定するようにしたので、支持手段の高さ方向配設スペースの低減化を図りながら、用紙の送り出し抵抗が非常に大きい場合でも、給紙する作用を良好な状態で発揮できる。
　また、請求項２に係る発明にあっては、ナジャーローラの駆動力伝達機構を工夫することで支持手段の長さを長く設定可能としたので、用紙の高さ変化に対する支持手段の角度変位を少なく抑えることができ、その分、ナジャーローラの搬送力を安定させることができるほか、支持手段の傾斜姿勢を浅く設定したとしても、支持手段の支点とナジャーローラとの間のギヤ列と用紙と間の干渉を有効に防止することができる。
　このため、請求項２に係る発明にあっては、用紙の送り出し抵抗が非常に大きい場合でも、給紙する作用を極めて良好な状態で発揮できる。
【図面の簡単な説明】
　【図１】　本発明の給紙装置の構成を示す側面図である。
　【図２】　図１に示される給紙装置の平面図である。
　【図３】　本発明の装置におけるナジャーローラを押圧する作用の説明図である。
　【図４】　従来の給紙装置の構成を示す側面図である。
　【符号の説明】
　１　　給紙トレイ、　３　　フレーム、　４　　給紙装置、　５　　ナジャーローラ、　７　　支持リンク、　１０　　用紙さばき装置、　１１　　給紙ローラ、　１３　　伝導機構、　１５　　リタードローラ、　１７　　支持アーム。